【事件の表示】
　特許第４１６４１３５号に関する訂正審判事件について、次のとおり審決する。
【結　論】
　特許第４１６４１３５号に係る明細書を本件審判請求書に添付された訂正明細書のとおり訂正することを認める。
【理　由】
１．手続の経緯
　本件特許第４１６４１３５号は、平成９年６月３０日に出願（特願平９−１７４３０１号）されたものであって、平成２０年８月１日に、その特許権の設定登録がされ、その後、本件訂正審判が請求されたものである。
　
２．請求人の主張
　請求人は、審判請求書によれば、「本件特許の明細書を、添付した訂正明細書のとおり訂正する。」との審決を求め、甲第１号証として特開平８−３２４６１０号公報を提出している。
　
３．訂正の内容
　本件訂正は、審判請求書及び添付した訂正明細書の記載から見て、以下の訂正事項ａ〜ｇからなるものと認める。
　
訂正事項ａ；特許請求の範囲の記載につき、以下の旧特許請求の範囲を新特許請求の範囲と訂正する。（審決注；下線部分が訂正によって加わった記載である。）
　
（旧特許請求の範囲）
【請求項１】略円筒形の口頸部を有し、該口頸部の外周面には雄螺条と該雄螺条の下方に位置する被係止手段とが配設されている容器に適用される、タンパーエビデント特性を有する合成樹脂製容器蓋であって、
　合成樹脂製蓋本体と、該蓋本体内に組み込まれる合成樹脂製中栓とから構成され、
　該蓋本体は、天面壁と、該天面壁の周縁から垂下する略円筒形のスカート壁とを有し、該スカート壁には周方向に延びる破断可能ラインが形成されており、該スカート壁は該破断可能ラインよりも上方の主部と該破断可能ラインよりも下方のタンパーエビデント裾部とに区画されており、該主部の内周面には該口頸部の該雄螺条に螺合せしめられる雌螺条が形成されており、該タンパーエビデント裾部には半径方向内方に突出して該口頸部の該被係止手段に係止せしめられる係止手段が形成されており、
　該中栓は該蓋本体の該天面壁の内面に沿って延在せしめられる円形頂面壁と、該頂面壁から垂下する略円筒形の密封壁とを有し、該頂面壁は中央領域と張出周縁領域とを有し、該密封壁は該頂面壁の該中央領域と該張出周縁領域との境界から垂下し、該口頸部の内周面に密接せしめられ、該頂面壁の該張出周縁領域は該口頸部の頂面に密接せしめられる密接部と該口頸部を越えて半径方向外方に突出する突出部とを有し、
　該中栓の該頂面壁の外径は、該蓋本体の該スカート壁の該主部の該内周面に形成されている該雌螺条のねじ山先縁によって規定される円の直径よりも大きく、且つ該蓋本体の該スカート壁の該主部の、該雌螺条よりも上方の部分の内径よりも小さく、該中栓の該頂面壁は該雌螺条よりも上方において軸線方向に自由に移動し得る合成樹脂製容器蓋において、
　該突出部の下面には該密接部の下面を越えて下方に膨出せしめられ且つ周方向に連続して延在する環状である膨出突条が形成されている、ことを特徴とする合成樹脂製容器蓋。
【請求項２】該蓋本体の該スカート壁における該主部の内周面には、該雌螺条の上端に近接した或いはこれに接続された片端から、該雌螺条の上端から離れる方向に実質上水平に延びる弧状係合突条が形成されており、該係合突条の突出縁によって規定される円の直径は該中栓の該頂面壁の外径よりも小さい、請求項１記載の合成樹脂製容器蓋。
【請求項３】該中栓の該頂面壁における該中央領域の上面には、周方向に間隔をおいて半径方向に延びる複数個のリブが形成されている、請求項１又は２記載の合成樹脂製容器蓋。
（新特許請求の範囲）
【請求項１】略円筒形の口頸部を有し、該口頸部の外周面には雄螺条と該雄螺条の下方に位置する被係止手段とが配設されている容器に適用される、タンパーエビデント特性を有する合成樹脂製容器蓋であって、
　合成樹脂製蓋本体と、該蓋本体内に組み込まれる合成樹脂製中栓とから構成され、
　該蓋本体は、天面壁と、該天面壁の周縁から垂下する略円筒形のスカート壁とを有し、該スカート壁には周方向に延びる破断可能ラインが形成されており、該スカート壁は該破断可能ラインよりも上方の主部と該破断可能ラインよりも下方のタンパーエビデント裾部とに区画されており、該主部の内周面には該口頸部の該雄螺条に螺合せしめられる雌螺条が形成されており、該タンパーエビデント裾部には半径方向内方に突出して該口頸部の該被係止手段に係止せしめられる係止手段が形成されており、
　該中栓は該蓋本体の該天面壁の内面に沿って延在せしめられる円形頂面壁と、該頂面壁から垂下する略円筒形の密封壁とを有し、該頂面壁は中央領域と張出周縁領域とを有し、該密封壁は該頂面壁の該中央領域と該張出周縁領域との境界から垂下し、該口頸部の内周面に密接せしめられ、該頂面壁の該張出周縁領域は該口頸部の頂面に密接せしめられる密接部と該口頸部を越えて半径方向外方に突出する突出部とを有し、
　該中栓の該頂面壁の外径は、該蓋本体の該スカート壁の該主部の該内周面に形成されている該雌螺条のねじ山先縁によって規定される円の直径よりも大きく、且つ該蓋本体の該スカート壁の該主部の、該雌螺条よりも上方の部分の内径よりも小さく、該中栓の該頂面壁は該雌螺条よりも上方において軸線方向に自由に移動し得る合成樹脂製容器蓋において、
　該突出部の下面には該密接部の下面を越えて下方に膨出せしめられ且つ周方向に連続して延在する環状である膨出突条が形成されて
おり、該膨出突条の内周面は下方に向かって半径方向外方に傾斜せしめられていて、該膨出突条の該内周面は該容器の該口頸部の該外周面から離隔されて
【請求項２】該蓋本体の該スカート壁における該主部の内周面には、該雌螺条の上端に近接した或いはこれに接続された片端から、該雌螺条の上端から離れる方向に実質上水平に延びる弧状係合突条が形成されており、該係合突条の突出縁によって規定される円の直径は該中栓の該頂面壁の外径よりも小さい、請求項１記載の合成樹脂製容器蓋。
【請求項３】該中栓の該頂面壁における該中央領域の上面には、周方向に間隔をおいて半径方向に延びる複数個のリブが形成されている、請求項１又は２記載の合成樹脂製容器蓋。
　
訂正事項ｂ；明細書の段落【００１１】の記載につき、
　「・・・（審決注；「・・・」は、記載の省略を示す。以下、同様。）本発明においては、中栓の張出周縁領域における突出部の下面に密接部の下面を超えて下方に突出せしめられ且つ周方向に連続して延在する環状である膨出突条を形成し、これによって突出部の剛性を増大せしめる。膨出突条は張出周縁領域の下面にのみ形成される・・・」とあるのを、
　「・・・本発明においては、中栓の張出周縁領域における突出部の下面に密接部の下面を超えて下方に突出せしめられ且つ周方向に連続して延在する環状である膨出突条を形成し、これによって突出部の剛性を増大せしめる。膨出突条の内周面は下方に向かって半径方向外方に傾斜せしめて、容器の口頸部の外周面から離隔せしめる。膨出突条は張出周縁領域の下面にのみ形成される・・・」と訂正する。
　
訂正事項ｃ；明細書の段落【００１２】の記載につき、
　「・・・該突出部の下面には該密接部の下面を越えて下方に膨出せしめられ且つ周方向に連続して延在する環状である膨出突条が形成されている、ことを特徴とする合成樹脂製容器蓋が提供される。」とあるのを、
　「・・・該突出部の下面には該密接部の下面を越えて下方に膨出せしめられ且つ周方向に連続して延在する環状である膨出突条が形成されており、該膨出突条の内周面は下方に向かって半径方向外方に傾斜せしめられていて、該膨出突条の該内周面は該容器の該口頸部の該外周面から離隔されている、ことを特徴とする合成樹脂製容器蓋が提供される。」と訂正する。
　
訂正事項ｄ；明細書の段落【００２４】の記載につき、
　「・・・かかる膨出突条５６は周方向に連続して延在する環状であるのが好適である。所望ならば、周方向に間隔をおいて周方向に弧状に延びる複数個の膨出突条を形成することもできる。・・・」とあるのを、
　「・・・かかる膨出突条５６は周方向に連続して延在する環状である。・・・」と訂正する。
　
訂正事項ｅ；明細書の段落【００３４】の記載につき、
　「実施例３
　中栓の頂面壁における張出周縁領域の突出部に膨出突条が存在しないことを除いて、実施例１と同一の容器蓋を５０個し、実施例１と同様の検査を遂行した。・・・」とあるのを、
　「
比較例１
　
訂正事項ｆ；明細書の段落【００３５】の記載につき、
　「
比較例
　「
比較例２
　
訂正事項ｇ；明細書の段落【００３６】の【表１】の記載につき、
　表中の「実施例３」及び「比較例１」を、それぞれ、「
比較例１
２
　
４．本件訂正の適否
　ここでは、「願書に添付した明細書又は図面」を「訂正前明細書」という。また、訂正前の特許請求の範囲請求項１については「旧請求項１」と、訂正後については「新請求項１」といい、他の請求項についても同様とする。
　
４−１．訂正事項ａ〜ｃの目的と記載根拠について
　
１）訂正の目的について検討する。
　訂正事項ａにおいて、新請求項１とする訂正は、旧請求項１を由来とするものと、また、新請求項２及び３とする訂正は、それぞれ、旧請求項２及び３を由来とするものということができる。そして、新請求項１とする訂正は、旧請求項１に係る発明において、膨出突条の内周面は下方に向かって半径方向外方に傾斜せしめられていて、該膨出突条の該内周面は容器の口頸部の外周面から離隔されているとの事項を、発明の発明特定事項として加えるもので、特許請求の範囲の減縮を目的とした明細書の訂正に該当する。また、新請求項２及び３とする訂正は、文言上の修正はないものの、新請求項２及び３は新請求項１を引用して記載する請求項で、これら訂正は、旧請求項２及び３に係る発明において、実質的に上記事項を発明特定事項として加えることになるから、特許請求の範囲の減縮を目的とした明細書の訂正に該当する。
　訂正事項ｂ及びｃは、訂正事項ａと整合を図るべく明細書の記載を訂正するもので、実質的に、特許請求の範囲の減縮を目的とした明細書の訂正に該当する。
　
２）次に、これら訂正が、訂正前明細書に記載した事項の範囲内においてしたものといえるかについて検討する。
　
２−１）訂正前明細書には、以下の記載ａ〜ｇが認められる。
　
ａ；「上述した形態の合成樹脂製容器蓋における蓋本体は、天面壁とその周縁から垂下するスカート壁とを有する。スカート壁には周方向に延びる破断ラインが形成されており、スカート壁は破断ラインよりも上方の主部と破断ラインよりも下方のタンパーエビデント裾部とに区画されている。スカート壁の主部の内周面には容器の口頸部に形成されている雄螺条に螺合せしめられる雌螺条が形成されている。タンパーエビデント裾部には半径方向内方に突出して、容器の口頸部に形成されている被係止手段に係止せしめられる係止手段が形成されている。」（段落【０００３】）、及び
　「上述した形態の合成樹脂製容器蓋における中栓の典型例は、蓋本体の天面壁の内面に沿って延在せしめられる円形頂面壁とこの頂面壁から垂下する略円筒形の密封壁とを有する。頂面壁は中央領域と張出周縁領域とを有する。容器の口頸部の内周面に密接せしめられる密封壁は中央領域と張出周縁領域との境界から垂下している。頂面壁の張出周縁領域は、容器の口頸部の頂面に密接せしめられる密接部と口頸部を越えて半径方向外方に突出する突出部とを有する。」（段落【０００４】）
ｂ；「容器の口頸部を開封する際には、蓋本体が開回転方向に回転せしめられる。かくすると、口頸部の被係止手段にタンパーエビデント裾部の係止手段が係止せしめられている故に上昇が阻止されているタンパーエビデント裾部に対してスカート壁の主部が回転と共に上昇せしめられることに起因して、スカート壁に形成されている破断ラインが破断されてタンパーエビデント裾部がスカート壁の主部から分離される・・・。しかる後に、スカート壁の主部が更に回転と共に上昇せしめられることによって、スカート壁の内周面に形成されている雌螺条の上端部が中栓の突出部の下面に当接し、スカート壁の上昇に付随せしめて中栓を上昇せしめ、これによって口頸部の密封が解除される。・・・。」（段落【０００６】）
ｃ；「【発明が解決しようとする課題】
而して、本発明者等の経験によれば、上述した形態の従来の容器蓋には、次のとおりの解決すべき問題が存在する。特に雰囲気温度が比較的高い場合、蓋本体のスカート壁の内周面に形成されている雌螺条の上端部が中栓の頂面壁における張出周縁領域の突出部に当接すると、突出部が弾性的に上方に過剰に変形して半径方向内方に後退し、蓋本体の上昇に付随して中栓が上昇せしめられず、中栓を口頸部に残留せしめて蓋本体のみが口頸部から離脱せしめられてしまうことがある。中栓が口頸部に残留せしめられた場合には、口頸部から中栓を離脱せしめる煩雑な操作を付加的に遂行しなければならない。」（段落【０００７】）
ｄ；「【課題を解決するための手段】
　上記主たる技術的課題を解決するために、本発明においては、中栓の張出周縁領域における突出部の下面に密接部の下面を超えて下方に突出せしめられ且つ周方向に連続して延在する環状である膨出突条を形成し、これによって突出部の剛性を増大せしめる。・・・。」（段落【００１１】）
ｅ；「・・・。膨出突条５６の外周面は実質上鉛直に延びているが、内周面は４０度程度でよい傾斜角度βで下方に向かって半径方向外方に傾斜せしめられている。」（段落【００２４】）
ｆ；「【発明の効果】
本発明の容器蓋によれば、製造コストの大幅な増大等の別個の問題を発生せしめることなく、雰囲気温度が比較的高い場合でも中栓を口頸部に残留せしめて蓋本体のみが口頸部から離脱されることが充分に回避される。」（段落【００３７】）
ｇ；「【図面の簡単な説明】
　・・・。
　【図３】図１に示す容器蓋の中栓を示す断面図。
　・・・。
　【図５】図１に示す容器蓋を容器の口頸部に装着した状態を、一部を断面で示す側面図。」並びに【図３】及び【図５】
　
２−２）記載ｅには、膨出突条の内周面が４０度程度の傾斜角度で下方に向かって半径方向外方に傾斜せしめられていることが記載されている。
　そこで、この膨出突条の内周面を下方に向かって半径方向外方に傾斜せしめことの技術的意義について検討する。
　記載ａ及びｂは、合成樹脂製容器蓋に関する従来の技術について記載するもので、記載ａには、合成樹脂製容器蓋における蓋本体は、天面壁とその周縁から垂下するスカート壁とを有するもので、更に、合成樹脂製容器蓋における中栓の典型例は、蓋本体の天面壁の内面に沿って延在せしめられる円形頂面壁と、この円形頂面壁から垂下する略円筒形の密封壁とを有し、円形頂面壁は中央領域と張出周縁領域とを有し、この張出周縁領域は、容器の口頸部の頂面に密接せしめられる密接部と口頸部を越えて半径方向外方に突出する突出部とを有するものであることが、また、記載ｂには、容器の口頸部を開封する際には、上記蓋本体を回転せしめてスカート壁の主部を上昇させ、このことによって、スカート壁の内周面に形成されている雌螺条の上端部が中栓の突出部の下面に当接し、スカート壁の上昇に付随せしめて中栓を上昇せしめ、これによって口頸部の密封が解除されるものであることが記載されている。
　しかしながら、記載ｃには、上記従来の技術には、スカート壁の雌螺条の上記上端部が中栓の上記突出部に当接すると、突出部が弾性的に上方に過剰に変形して半径方向内方に後退し、蓋本体の上昇に付随して中栓が上昇せしめられず、中栓を口頸部に残留せしめて蓋本体のみが口頸部から離脱せしめられてしまうことがあるとの解決すべき問題、が存在していたことが記載され、記載ｄ及びｆには、上記突出部の下面に下方に突出せしめられ且つ周方向に連続して延在する環状である膨出突条を形成することによって突出部の剛性を増大せしめ、上記問題を解決したことが記載されている。
　以上の記載を踏まえると、突出部は、円形頂面壁の張出周縁領域に位置し、円形頂面壁の半径方向外方に突出するもので、その厚みは、ほぼ、均等の板状部位であって、膨出突条が該突出部の下面から突出するように形成されることによって、厚みの増大した部分が形成され、このことにより、突出部の剛性を増大せしめたものであることが窺え、膨出突条の内周面は、膨出突条を構成するための、突出部の下面からの立ち上がり面ということができ、該内周面を下方に向かって半径方向外方に傾斜せしめことの技術的意義は、単に、突出部の下面からの立ち上がり面を形成するということにあると認められる。
　してみると、内周面は、突出部の下面からの立ち上がり面を形成するとの技術的意義を持つものであるから、記載ｅに、上述したように、内周面が４０度程度の傾斜角度で下方に向かって半径方向外方に傾斜せしめられていることが記載されているものの、必ずしも、その傾斜角度には意味がなく、訂正前明細書の記載に接した当業者にしてみれば、その４０度程度の傾斜角度に捕らわれることなく、ただ単に、内周面は下方に向かって半径方向外方に傾斜せしめられているとの思想を読み取ることができるといえる。
　
２−３）また、膨出突条の内周面は、先に「２−２）」で述べたように、突出部の下面からの立ち上がり面を形成するとの技術的意義を持つものであるから、容器の口頸部の外周面との間での技術的関係は無いと言っても良い程度のもので、しかも、記載ｇには、内周面は容器の口頸部の外周面から離隔されていることが示唆されているから、訂正前明細書の記載に接した当業者は、内周面は容器の口頸部の外周面から離隔されているとの思想を読み取ることができるといえる。
　
２−４）以上の検討から、訂正事項ａ〜ｃは、訂正前明細書に記載した事項の範囲内においてしたものといえる。
　
４−２．訂正事項ｄ〜ｇの目的と記載根拠について
　
１）訂正の目的について検討する。
　新請求項１〜３に係る発明は、「該中栓は該蓋本体の該天面壁の内面に沿って延在せしめられる円形頂面壁と、該頂面壁から垂下する略円筒形の密封壁とを有し、該頂面壁は中央領域と張出周縁領域とを有し、該密封壁は該頂面壁の該中央領域と該張出周縁領域との境界から垂下し、該口頸部の内周面に密接せしめられ、該頂面壁の該張出周縁領域は該口頸部の頂面に密接せしめられる密接部と該口頸部を越えて半径方向外方に突出する突出部とを有し、」及び「該突出部の下面には該密接部の下面を越えて下方に膨出せしめられ且つ周方向に連続して延在する環状である膨出突条が形成されており、」と記載した事項、要すれば、「中栓は円形頂面壁を有し、該円形頂面壁の張出周縁領域は突出部を有し、該突出部の下面には周方向に連続して延在する環状である膨出突条が形成されている」との事項を、発明特定事項とするものである。
　その一方で、訂正前の段落【００２４】には、上記発明についての説明としては齟齬する、「所望ならば、周方向に間隔をおいて周方向に弧状に延びる複数個の膨出突条を形成することもできる」旨の記載があり、訂正事項ｄは、該記載を削除するもので、特許請求の範囲の記載と発明の詳細な説明の記載との整合を図るものといえる。
　また、訂正前の段落【００３４】〜【００３６】には、上記発明についての説明としては齟齬する、「膨出突条が存在しない容器蓋の具体例を実施例３とする」旨の記載があり、訂正事項ｅ、ｆ及びｇは、上記実施例３を比較例１とすると共に、比較例を比較例２とし、特許請求の範囲の記載と発明の詳細な説明の記載との整合を図るものといえる。
　以上のことから、訂正事項ｄ〜ｇは、明りようでない記載の釈明を目的とした明細書の訂正に該当する。
　
２）次に、これら訂正が、訂正前明細書に記載した事項の範囲内においてしたものといえるかについて検討すると、訂正事項ｄ〜ｇが、「１）」で述べたような、明りようでない記載の釈明を目的とした明細書の訂正に該当する以上、訂正前明細書に記載した事項の範囲内においてしたものであることは明らかである。
　
４−３．本件訂正の変更拡大、独立特許要件違反について
　
１）本件訂正が、実質上特許請求の範囲を拡張し、又は変更するものであるとする理由は見当たらない。
　
２）次に、訂正後における特許請求の範囲に記載されている事項により特定される発明、即ち、先に「３」の訂正事項ａにおいて、新特許請求の範囲として認定した請求項１〜３に記載された発明が特許出願の際独立して特許を受けることができるかについて検討する。
　なお、上記請求項１〜３に記載された発明を、ここにおいては、訂正発明１〜３という。
　
２−１）本件特許に係る特許出願の出願前に頒布された刊行物と認められる甲第１号証には、以下の記載Ａ〜Ｄが認められる。
　
Ａ；「【０００１】
【産業上の利用分野】本発明は、口部外周に雄ネジが形成された容器に螺子嵌合して該容器口部を閉止する合成樹脂製キャップに関し、そのタンパーエビデンス性を向上させた合成樹脂製キャップに関する。」
Ｂ；「【００１３】図１は本発明の合成樹脂製キャップ（以下、キャップという）の一実施例を示すものであり、このキャップ２１は、円形の天板部２２とその周縁から垂下した筒部２３とからなるキャップ本体２４と、天板部２２内面とネジ部３０上端位置との間を移動可能に挿入された略円板状のライナー２５とからなっている。」
Ｃ；「【００１５】上記ライナー２５は、比較的軟質の合成樹脂材料を略円板状に成形してなり、その下面側には、キャップ２１を容器口部４１ａに装着した場合に、容器口部４１ａの上端に嵌着される環状の外側シール部３５と、該外側シール部３５の内側に、キャップ２１を容器口部４１ａに装着した際に、容器口部４１ａ内に嵌入される環状の内側シール部３７とが下方に向けて突出形成されている。」
Ｄ；「【００１９】このキャップ２１の閉栓と開栓動作について図２を参照して説明する。・・・。キャップ２１が容器口部４１ａに巻締められると、ライナー２５が容器口部４１ａによって押し上げられ、ライナー２５の上面がキャップ本体２４の天板部２２内面側に接触し、容器口部４１ａ内にライナー２５の内側シール部３７が嵌入され、容器口部４１ａの上端部外周にライナー２５の外側シール部３５が嵌着される。この結果、図２に示すように容器口部４１ａは、その上端がライナー２５に圧接され、上端部の内側に内側シール部３７が嵌着され、さらに上端部外周に外側シール部３５が嵌着された状態で密封される。このように容器口部４１ａの上端（トップシール）、上端部外周（サイドシール）及び上端部内側（インナーシール）の各部でライナー２５を容器口部４１ａに圧接させることにより、このキャップ２１の装着によって容器４１をきわめて気密に閉止することができ、容器４１内部が負圧であっても、或いは炭酸飲料を充填した場合のように加圧状態とされた場合であっても容器４１内の気密状態を維持することができる。・・・。
【００２０】」及び【図２】
　
２−２）甲第１号証には、記載Ａによれば、タンパーエビデンス性を向上させた合成樹脂製キャップについての発明が記載されていると認められる。
　そして、記載Ｂには、上記合成樹脂製キャップの具体例として、キャップ本体２４とライナー２５とから構成されているキャップ２１が記載され、上記ライナー２５は、記載Ｃ及びＤによれば、合成樹脂材料を略円板状に成形したもので、容器口部４１ａの上端部の外周に嵌着される外側シール部３５と、上記上端部の内側に嵌着される内側シール部３７とを有していることが窺える。
　また、記載Ｄの【図２】を見ると、「外側シール部３５と内側シール部３７との間の、ライナー２５における部位」（以下、「密着部位」という。）は、その下面が容器口部４１ａの頂面に密接していることが、更に、ライナー２５の周辺部には、容器口部４１ａを越えて半径方向外方に突出する周辺部位が見て取れ、前記外側シール部３５は、この周辺部位の下面に形成されたもので、密着部位の下面を越えて下方に膨出せしめられ且つ周方向に連続して延在する環状であることも見て取れる。
　以上のことから、甲第１号証には、以下の発明（以下、「引用発明」という。）が記載されていると認められる。
　
　「キャップ本体２４とライナー２５とから構成されているキャップ２１おいて、上記ライナー２５は、合成樹脂材料を略円板状に成形したもので、容器口部４１ａの上端部の外周に嵌着された外側シール部３５、上記上端部の内側に嵌着される内側シール部３７、その下面が容器口部４１ａの頂面に密接している密着部位、及び容器口部４１ａを越えて半径方向外方に突出する周辺部位を有し、上記外側シール部３５は、この周辺部位の下面にに形成されたもので、密着部位の下面を越えて下方に膨出せしめられ且つ周方向に連続して延在する環状である、上記キャップ２１」の、タンパーエビデンス性を向上させた合成樹脂製キャップに係る発明
　
２−３）訂正発明１と引用発明とは、タンパーエビデント特性を有する合成樹脂製容器蓋についての発明に関するものである点で一致し、引用発明の「ライナー２５」は、訂正発明１の「合成樹脂製中栓」に対応していると認められる。
　そして、引用発明の「内側シール部３７」は、容器口部４１ａの上端部の内側に嵌着されるものであって、シール機能を果たすものであるから、容器口部４１の内周面に密接せしめられていることは、記載Ｄの【図２】を参照しても、明らかで、また、引用発明の「密着部位」は、その下面が容器口部４１ａの頂面に密接しているものであって、引用発明は、訂正発明１の「密封壁」と「密接部」とに対応する部位を有しているのものと認められる。
　また、引用発明の「周辺部位」は、容器口部４１ａを越えて半径方向外方に突出するもので、訂正発明１の「突出部」に対応しているということができる。
　
　以上の検討を踏まえると、両者は、少なくとも、以下の相違点ａで相違しているものと認められる。
　
相違点ａ；訂正発明１の合成樹脂製中栓は、突出部の下面には密接部の下面を越えて下方に膨出せしめられ且つ周方向に連続して延在する環状である膨出突条が形成されており、該膨出突条の内周面は下方に向かって半径方向外方に傾斜せしめられていて、該膨出突条の該内周面は容器の口頸部の外周面から離隔されている点。
　
２−４）次に、相違点ａが容易になし得るかについて検討する。
　相違点ａは、要するに、訂正発明１の膨出突条は、引用発明の外側シール部３５に対応関係にあるものの、膨出突条は、その内周面は下方に向かって半径方向外方に傾斜せしめられていて、該内周面は容器の口頸部の外周面から離隔されているのに対し、外側シール部３５は、容器口部４１ａの上端部の外周に嵌着されたものである点ということができる。
　そこで、検討すると、外側シール部３５は、容器口部４１ａの上端部の外周に嵌着されたものである。そして、そうしたことの意義について検討すると、記載Ｄによれば、内側シール部３７と協働して容器口部４１ａを密封することにあることが窺えるから、外側シール部３５の内周面を下方に向かって半径方向外方に傾斜せしめ、加えて、容器口部４１の外周面から離隔するよう構成することは、容易になし得るとはいえない。
　
２−５）してみると、訂正発明１は、引用発明であるということはできず、また、引用発明から容易に発明できたものともいえず、更に、訂正発明１の発明特定事項の全てを、その発明特定事項として有する訂正発明２及び３も、同様に、引用発明であるとも、また、引用発明から容易に発明できたものともいえない。
　以上のことから、甲第１号証を根拠に、訂正発明１〜３が特許出願の際独立して特許を受けることができないとはいえないし、他に、受けることができないとする理由は見当たらない。
　
４−４．まとめ
　本件訂正は、特許法第１２６条第１〜５項の規定に適合するので、これを認める。
　
５．むすび
　本件訂正は、認められるものである。
　よって、結論のとおり審決する。